(57)【要約】【課題】部品点数を抑え、小型化及び軽量化を図ること。【解決手段】照明器具は、光源ユニット１と電源ユニット２と放熱部材３と保持部材４とを備える。保持部材４は、天板４０と底板４１と支持部４２とを有する。放熱部材３は、底板４１の第１面４１１に取り付けられる。光源ユニット１は、底板４１の第２面４１２と対向するように保持される。電源ユニット２は、天板４０の一表面４０１に取り付けられる。支持部４２は、第１面４１１を天板４０の一表面４０１とは反対側の面に対向させて天板４０及び底板４１を支持する。保持部材４は、天板４０を支持部４２にかしめ固定する第１固定部と、底板４１を支持部４２にかしめ固定する第２固定部とを有する。【選択図】図１
2018077956.tif 000002
【特許請求の範囲】
【請求項１】
光源ユニットと、前記光源ユニットに給電する電源ユニットと、前記光源ユニットの放熱を行う放熱部材と、前記光源ユニットを保持する保持部材とを備え、
前記保持部材は、天板と、底板と、前記天板及び前記底板を支持する支持部とを有し、
前記放熱部材は、前記底板の厚み方向における第１面に取り付けられ、
前記光源ユニットは、前記底板の前記厚み方向における前記第１面とは反対側の第２面と対向するように保持され、
前記電源ユニットは、前記天板の厚み方向における一表面に取り付けられ、
前記支持部は、前記底板の前記第１面を、前記天板の前記厚み方向における前記一表面とは反対側の面に対向させて前記天板及び前記底板を支持し、
前記保持部材は、前記天板を前記支持部にかしめ固定する第１固定部と、前記底板を前記支持部にかしめ固定する第２固定部とを有する
ことを特徴とする照明器具。
【請求項２】
前記底板は、前記天板の前記一表面とは反対側の前記面と対向する平板部と、前記第２固定部の一部として突起片とを有し、
前記突起片は、前記平板部の周縁から前記天板に向かって突出する
ことを特徴とする請求項１に記載の照明器具。
【請求項３】
前記支持部は、互いに対向する一対の側板を有し、
前記一対の側板は、前記天板と前記底板とによって囲まれた空間を側方から囲うように前記天板及び前記底板を支持し、
前記第２固定部は、前記底板を前記一対の側板にかしめ固定する
ことを特徴とする請求項１又は２に記載の照明器具。
【請求項４】
前記支持部は、前記一対の側板を連結する第１連結板及び第２連結板を、更に有し、
前記保持部材は、前記第１連結板を前記一対の側板の各々の一端部に、前記第２連結板を前記一対の側板の各々の他端部に、それぞれかしめ固定する第３固定部を、更に有する
ことを特徴とする請求項３に記載の照明器具。
【請求項５】
前記第２固定部は、前記底板を、前記一対の側板、前記第１連結板及び前記第２連結板にかしめ固定する
ことを特徴とする請求項４に記載の照明器具。
【請求項６】
前記一対の側板の各々は、前記光源ユニットに近づく向きに突出する突出片を有し、
前記底板は、前記突出片に載せ置かれている
ことを特徴とする請求項３〜５のいずれか１項に記載の照明器具。
【発明の詳細な説明】
【技術分野】
【０００１】
本発明は、一般に照明器具に関し、より詳細には照明空間を上方から照明する照明器具に関する。
【背景技術】
【０００２】
従来、体育館やホールなどの天井の高い建物に設置され、照明空間を上方から照明する、いわゆる高天井用の照明器具が知られている（例えば特許文献１参照）。
【０００３】
特許文献１に記載の照明器具は、複数の光源ユニットと、複数の光源ユニットを保持する保持部材と、複数の光源ユニットに給電する電源ユニットとを備えている。各光源ユニットは、光源に相当するＬＥＤモジュールと、光源が発する熱を放熱する放熱部材とを有している。光源は、保持部材の下方（照明空間側）で保持されており、放熱部材は、保持部材に対して照明空間とは反対側で保持されている。
【先行技術文献】
【特許文献】
【０００４】
【特許文献１】特開２０１６−１００３１８号公報
【発明の概要】
【発明が解決しようとする課題】
【０００５】
ところで、この種の照明器具では、保持部材を構成する構成要素同士が、あるいは保持部材と光源ユニットとが、互いにねじ止めにより固定されている。そのため、例えば使用されるねじ及びワッシャなどの数だけ、照明器具全体の部品点数が多くなる傾向にあった。また、ねじを挿入するためのねじ孔を確保するために、例えば保持部材や光源ユニットの厚み寸法が増してしまい、照明器具の小型化及び軽量化を図り難かった。
【０００６】
本発明は上記事由に鑑みてなされ、部品点数を抑え、小型化及び軽量化を図ることができる照明器具を提供することを目的とする。
【課題を解決するための手段】
【０００７】
本発明の一態様に係る照明器具は、光源ユニットと、電源ユニットと、放熱部材と、保持部材とを備える。前記電源ユニットは、前記光源ユニットに給電する。前記放熱部材は、前記光源ユニットの放熱を行う。前記保持部材は、前記光源ユニットを保持する。前記保持部材は、天板と、底板と、前記天板及び前記底板を支持する支持部とを有する。前記放熱部材は、前記底板の厚み方向における第１面に取り付けられる。前記光源ユニットは、前記底板の前記厚み方向における前記第１面とは反対側の第２面と対向するように保持される。前記電源ユニットは、前記天板の厚み方向における一表面に取り付けられる。前記支持部は、前記底板の前記第１面を、前記天板の前記厚み方向における前記一表面とは反対側の面に対向させて前記天板及び前記底板を支持する。前記保持部材は、前記天板を前記支持部にかしめ固定する第１固定部と、前記底板を前記支持部にかしめ固定する第２固定部とを有する。
【発明の効果】
【０００８】
本発明は、部品点数を抑え、小型化及び軽量化を図ることができる、という利点がある。
【図面の簡単な説明】
【０００９】
【図１】図１は、本発明の一実施形態に係る照明器具の上方から見た斜視図である。
【図２】図２は、同上の照明器具の下方から見た斜視図である。
【図３】図３は、同上の照明器具の一部破断した平面図である。
【図４】図４は、同上の照明器具の一部破断した要部正面図である。
【図５】図５は、同上の照明器具の一部破断した要部側面図である。
【発明を実施するための形態】
【００１０】
（１）概要
以下に説明する構成は、本発明の一例に過ぎず、本発明は、下記の構成に限定されることはなく、下記の構成以外であっても、本発明に係る技術的思想を逸脱しない範囲であれば、設計等に応じて種々の変更が可能である。
【００１１】
本実施形態では、照明器具は、一例として、上述した特許文献１の照明器具のように、いわゆる高天井用の照明器具であることを想定して説明する。ただし、本実施形態の照明器具は、高天井用の照明器具に限定されず、例えば、道路灯又は街路灯などの照明器具でもよい。
【００１２】
本実施形態の照明器具は、例えば図１に示すように、光源ユニット１と、電源ユニット２と、放熱部材３と、保持部材４とを備えている。電源ユニット２は、光源ユニット１に給電する。放熱部材３は、光源ユニット１の放熱を行う。本実施形態の放熱部材３は、一例として、複数の放熱板３０から構成されている。
【００１３】
保持部材４は、光源ユニット１を保持する。保持部材４は、天板４０と、底板４１と、天板４０及び底板４１を支持する支持部４２とを有する。なお、本実施形態では、支持部４２は、一対の側板４２０と、一対の連結板４２１とから構成されている。
【００１４】
放熱部材３は、底板４１の厚み方向における第１面４１１（図１では上面）に取り付けられる。光源ユニット１は、底板４１の厚み方向における第１面４１１とは反対側の第２面４１２（図１では下面）と対向するように保持される。
【００１５】
電源ユニット２は、天板４０の厚み方向における一表面４０１（図１では上表面）に取り付けられる。支持部４２は、底板４１の第１面４１１を、天板４０の厚み方向における一表面４０１とは反対側の面（図１では下表面）に対向させて天板４０及び底板４１を支持する。そして、本実施形態の照明器具では、保持部材４は、天板４０を支持部４２にかしめ固定する第１固定部と、底板４１を支持部４２にかしめ固定する第２固定部とを有する。なお、ここで言う「かしめ固定」とは、金属の接合部分を打ったり、あるいは折り曲げたりなどして塑性変形させる、いわゆる「かしめる」ことにより２つの部材を互いに固定することを意味する。
【００１６】
本実施形態では、保持部材４の第１固定部は、一例として、天板４０の「かしめ用挿通孔４０４」と側板４２０の「爪片７１」とに相当する。また、保持部材４の第２固定部は、一例として、底板４１の「突起片４１４」と側板４２０の「かしめ片７０」とに相当する。第２固定部は、更に、連結板４２１の「かしめ用突片４２１２」を含んでいてもよい。
【００１７】
（２）詳細
（２．１）全体構成
以下、照明器具の基本構成について、図１〜図５を参照して詳しく説明する。以下では、特に断りの無い限り、照明器具の上下、左右、前後の方向を、図１に図示されている上下、左右、前後の矢印を用いて規定して説明する。
【００１８】
本実施形態の照明器具は、「（１）概要」の欄で説明したように、光源ユニット１と、電源ユニット２と、放熱部材３と、保持部材４とを備えている。さらに、本実施形態の照明器具は、アーム６を備えている。
【００１９】
（２．２）光源ユニット
光源ユニット１は、光源に相当するＬＥＤ（Light Emitting Diode）モジュールと、カバー１０（図２参照）と、パッキン１１（図４及び図５参照）とを有する。ＬＥＤモジュールは、例えば、複数個のＬＥＤと、実装基板１２（図４及び図５参照）とを有する。各ＬＥＤは、例えば、従来周知であるパッケージ型の白色ＬＥＤである。実装基板１２は、矩形平板状のアルミ基板で構成されている。実装基板１２は、後の「（２．５）保持部材」の欄で説明する保持部材４の底板４１の第２面４１２（図１では下面）に、例えばねじ止めにより固定されている。
【００２０】
複数個のＬＥＤは、実装基板１２の下面に、縦横に並べて実装される。また、実装基板１２の下面にレセプタクルコネクタが実装される。レセプタクルコネクタは、実装基板１２の下面に形成される配線用の導体を介して、各ＬＥＤの電極（カソード及びアノード）と電気的に接続される。
【００２１】
カバー１０は、ＬＥＤモジュールを覆い隠すように保持部材４に取り付けられる。カバー１０は、ポリカーボネート樹脂などの透光性を有する合成樹脂材料により形成されている。カバー１０は、図４に示すように、本体部１０１と、フランジ部１０２とを有する。本体部１０１は、上面に開口を有した扁平な矩形の箱状に形成されている。フランジ部１０２は、本体部１０１の上記開口の周縁から外方に突出するように、本体部１０１と一体に形成されている。すなわち、カバー１０を上方から見たときに、フランジ部１０２は、矩形枠状に形成されている。フランジ部１０２は、その下面側に、下方に突出した複数の段部を有している。フランジ部１０２は、当該複数の段部が、後の「（２．５）保持部材」の欄で説明する保持部材４の突出片４２０４に対して上方から接触して、保持部材４に載せ置かれている。
【００２２】
パッキン１１は、フランジ部１０２と略同形で、上方から見たときに矩形枠状である。パッキン１１は、例えばゴム材料又は樹脂材料により形成されている。パッキン１１は、図４に示すように、カバー１０のフランジ部１０２と保持部材４の底板４１との間に介在する。パッキン１１は、塵又は水滴などがカバー１０内に侵入することを防ぐ。
【００２３】
なお、本実施形態では、光源ユニット１の数は１つであるが、特に限定されず、２つ以上であってもよい。例えば２つの光源ユニット１が、保持部材４の底板４１の下方において、前後方向に並ぶように配置されてもよい。
【００２４】
（２．３）電源ユニット
電源ユニット２は、電源ブロックと、電源ブロックを内部に収容するケース２０と、端子台２６（図５参照）と、端子台２６を覆う端子台カバー２１と、を有する。電源ブロックは、外部電源から供給される電力（例えば、商用電源から供給される交流電力）を光源ユニット１に必要とされる電力（直流電力）に変換する電力変換回路を有する。電力変換回路は、例えば、全波整流器、力率改善回路（昇圧チョッパ回路）、及びＤＣ／ＤＣコンバータ（降圧チョッパ回路）などを有する。電源ブロックは、例えば、プリント配線板の表面に、電力変換回路を構成する多数の回路部品が実装されて構成される。また、電源ブロックは、先端にプラグコネクタが設けられた出力ケーブルを有する。
【００２５】
ケース２０は、例えば、亜鉛鋼板などの金属板に折り曲げ加工を施すことで、下面が開口した矩形の箱状に形成されている。電源ブロックの多数の回路部品が実装されたプリント配線板は、ケース２０の上板の裏側にねじ止め固定されている。電源ブロックの出力ケーブルは、ケース２０の開口した下面から、保持部材４の天板４０の中央に設けられた貫通孔、及び、保持部材４の底板４１の中央に設けられた貫通孔を通して、光源ユニット１内に引き込まれている。要するに、電源ブロックの出力ケーブルは、ケース２０の開口した下面から、光源ユニット１に向かってほぼ真っ直ぐ下方に延びている。そして、電源ブロックの出力ケーブルは、光源ユニット１のレセプタクルコネクタと直接、若しくは別の電線ケーブルを介して、電気的に接続される。
【００２６】
また、ケース２０は、図３に示すように、後壁の下端縁から後方に突出する３つの突片２０１〜２０３を有する。突片２０１〜２０３は、右から順に左右方向に並んでいる。突片２０１及び２０３が、後述する天板４０のブリッジ４０２及び４０３の下にそれぞれ後方に向かってスライド挿入されることで、保持部材４に対するケース２０の位置決めがなされる。なお、ケース２０は、突片２０２に設けられている貫通孔２０２１（図３参照）と、貫通孔２０２１に対向して設けられている天板４０のねじ孔とを用いて、天板４０にねじ止め固定されてもよい。
【００２７】
端子台２６は、ケース２０の前壁の外表面に設けられている。端子台２６は、電源ブロックと電気的に接続される。外部電源と繋がっている電力線は、ケース２０の前壁と端子台カバー２１との間の隙間２２（図１参照）を通じて、端子台カバー２１内に引き込まれ、端子台２６に接続される。
【００２８】
端子台カバー２１は、例えば図１に示すように、亜鉛鋼板などの金属板によって後面と下面とが開放された矩形の箱状に形成されている。端子台カバー２１は、ケース２０の前壁に対して、端子台２６が露出する開位置と端子台２６が覆われる閉位置との間で、一対のねじ２３を回転軸として回転可能に支持されている。また、端子台カバー２１は、その前壁の下端縁から前方に突出した突片２４を有している。突片２４には、その厚み方向に貫通する貫通孔が設けられ、また、保持部材４の天板４０の、当該貫通孔に対向する位置には、ねじ孔が設けられている。突片２４の貫通孔を通った摘みねじ２５が、天板４０のねじ孔にねじ止めされることで、端子台カバー２１は、閉位置において天板４０に固定される。特に、ケース２０の突片２０１及び２０３が天板４０のブリッジ４０２及び４０３の下に挿入されて位置決めされた状態で、摘みねじ２５により端子台カバー２１が天板４０に固定されることで、ケース２０全体が、天板４０に固定されることになる。
【００２９】
（２．４）放熱部材
放熱部材３は、「（１）概要」の欄で説明したように、一例として、複数の放熱板３０から構成されている。複数の放熱板３０は、底板４１の第１面４１１に固定されている。複数の放熱板３０は、２つの放熱ユニットに分けられている。各放熱ユニットは、１０個の放熱板３０から構成されている。２つの放熱ユニットは、底板４１の第１面４１１において、前後方向に並んで配置されている。各放熱ユニットの１０個の放熱板３０は、底板４１の第１面４１１において、左右方向に並んで配置されている。
【００３０】
各放熱板３０は、例えば、アルミニウム又はアルミニウム合金などの熱伝導性に優れた材料から形成されている。本実施形態では、各放熱板３０は、矩形板状の１枚のアルミ板に折り曲げ加工を施すことにより、前後方向から見たときに略Ｕ字状に形成されている。すなわち、各放熱板３０は、前後方向に細長い矩形板状のベース部３０１と、ベース部３０１の左右方向における両端縁からそれぞれ上方に延びる矩形板状の一対の側板３０２と、を有する。
【００３１】
本実施形態では、各放熱板３０のベース部３０１は、厚み方向に貫通する複数のボス孔を有する。複数のボス孔は、前後方向に沿って設けられている。また、保持部材４の底板４１は、ベース部３０１の複数のボス孔にそれぞれ対応するように、複数のボス４１６を有する。そして、各放熱板３０は、底板４１の複数のボス４１６がベース部３０１の複数のボス孔に挿入された状態で、底板４１のボス４１６をかしめることにより、底板４１に固定されている。
【００３２】
このように、放熱部材３では、各放熱板３０が１つ１つ折り曲げ加工により形成され、さらに底板４１に対してかしめにより固定されている。そのため、例えば放熱部材３全体がアルミダイカストによって一体に形成される場合に比べて、放熱部材３の小型化及び軽量化を図ることができる。
【００３３】
（２．５）保持部材
保持部材４は、「（１）概要」の欄で説明したように、天板４０と、底板４１と、天板４０及び底板４１を支持する支持部４２とを有する。また、保持部材４は、第１固定部、第２固定部、及び第３固定部を有する。なお、本実施形態では、第１〜第３固定部は、天板４０、底板４１及び支持部４２とは別体ではない。つまり、第１〜第３固定部は、天板４０、底板４１及び支持部４２の一部によって構成されている。
【００３４】
天板４０は、亜鉛鋼板などの金属板により、略矩形板状に形成されている。また、天板４０は、その周縁が僅かに下方に突出するように折り曲げられることで、下面が開口した扁平な箱状に形成されている。なお、天板４０の一表面４０１には、「（２．３）電源ユニット」の欄で説明したように、電源ユニット２が取り付けられている。
【００３５】
天板４０は、図１及び図３に示すように、その四隅の近傍に厚み方向（上下方向）に貫通する４つのかしめ用挿通孔４０４（図示例では３つ）を、第１固定部の一部として有している。また、天板４０は、図３に示すように、その後端の近傍において、上向きに形成されている一対のブリッジ４０２及び４０３を有している。ケース２０の突片２０１及び２０３は、ブリッジ４０２及び４０３の下に差し込まれる。また、天板４０は、その前端の近傍において、端子台カバー２１を固定するための摘みねじ２５がねじ込まれるねじ孔を有している。
【００３６】
底板４１は、例えば、アルミニウム又はアルミニウム合金などの熱伝導性に優れた金属板により、略矩形板状に形成されている。ここでは、底板４１は、略矩形板状に形成されて天板４０と対向する平板部４１３と、第２固定部の一部として突起片４１４とを有する。突起片４１４は、平板部４１３の周縁から天板４０に向かって突出する。突起片４１４は、平板部４１３と一体に形成されている。本実施形態では、突起片４１４は、平板部４１３の前端縁、後端縁、右側縁及び左側縁、それぞれから天板４０に向かって突出する４つの突起片から構成されている。以下の説明では、これらをまとめて単に「突起片４１４」と呼ぶ。なお、底板４１は、全ての突起片４１４が平板部４１３の全周縁にわたって繋がって形成されていてもよいし、突起片４１４の間に隙間を空けて形成されていてもよい。
【００３７】
底板４１の、すなわち平板部４１３の第１面４１１には、「（２．４）放熱部材」の欄で説明したように、放熱部材３が取り付けられている。底板４１は、その第１面４１１から上方に突出する複数のボス４１６を有し、ボス４１６を各放熱板３０のベース部３０１のボス孔に通してかしめることで、各放熱板３０が底板４１に固定される。
【００３８】
本実施形態では、天板４０の前後方向における寸法は、底板４１の前後方向における寸法よりも小さい。一方、天板４０の左右方向における寸法は、底板４１の左右方向における寸法と略等しい。
【００３９】
支持部４２は、一対の側板４２０と、一対の連結板４２１とを有する。一対の側板４２０は、左右方向において互いに対向するように配置されている。一対の側板４２０は、天板４０と底板４１とによって囲まれた空間を側方から囲うように天板４０及び底板４１を支持する。本実施形態の保持部材４は、天板４０と底板４１と一対の側板４２０とによって、全体として略四角筒状の部材として提供されている。開口５は、略四角筒状に形成された保持部材４の両端（前後端）の各々に設けられている。
【００４０】
一対の連結板４２１は、前後方向において互いに対向するように配置され、一対の側板４２０を連結する。より詳細には、図３に示すように、支持部４２は、右側に配置される第１側板４２０Ａ及び左側に配置される第２側板４２０Ｂと、前方に配置される第１連結板４２１Ａ及び後方に配置される第２連結板４２１Ｂと、を有している。
【００４１】
ただし、本実施形態の照明器具では、第１側板４２０Ａ及び第２側板４２０Ｂは、それらが並ぶ左右方向において、面対称となる構成を採用している。そのため、第１側板４２０Ａ及び第２側板４２０Ｂを互いに区別しない場合には、単に「側板４２０」と呼ぶこともある。同様に、本実施形態の照明器具では、第１連結板４２１Ａ及び第２連結板４２１Ｂは、それらが並ぶ前後方向において、面対称となる構成を採用している。そのため、第１連結板４２１Ａ及び第２連結板４２１Ｂを互いに区別しない場合には、単に「連結板４２１」と呼ぶこともある。
【００４２】
側板４２０は、例えば、亜鉛鋼板などの１枚の金属板に折り曲げ加工を施すことにより、左右方向に沿って見たときに台形状となるように、放熱部材３側の面が開放された扁平な箱形状に形成されている。要するに、側板４２０の上端縁の前後方向における寸法は、側板４２０の下端縁の前後方向における寸法よりも小さい。
【００４３】
具体的には、側板４２０は、図１に示すように、側板本体４２００と、第１傾斜片４２０１と、第２傾斜片４２０２と、支持片４２０３と、突出片４２０４とから構成されている。
【００４４】
側板本体４２００は、左右方向に沿って見たときに台形状に形成されている。すなわち、側板本体４２００の上端の前後方向における寸法は、側板本体４２００の下端の前後方向における寸法よりも小さくなるように寸法関係が規定されている。側板本体４２００は、その厚み方向に貫通する一対の通気孔４２０５を有している。一対の通気孔４２０５は、前後方向において並んで設けられている。各通気孔４２０５は、左右方向に沿って見て略台形状に貫通している。各通気孔４２０５は、光源ユニット１から底板４１及び放熱部材３に伝わる熱を照明器具の外部へ逃がすように、１０個の放熱板３０から構成される放熱ユニットと対向するように設けられている。つまり、放熱部材３は、通気孔４２０５を通じて外部に露出している。また、側板本体４２００は、前後方向における中央、すなわち一対の通気孔４２０５の間に、アーム６を所定の範囲内で回転可能に支持するためのアーム支持部位を有している。さらに、側板本体４２００は、図１及び図２に示すように、前端近傍と後端近傍の各々には、厚み方向に貫通するかしめ用挿通孔７２を、第３固定部の一部として有している。
【００４５】
支持片４２０３は、図１に示すように、側板本体４２００の上端から内方に突出するように設けられている。支持片４２０３は、前後方向に延びる帯板状に形成されている。支持片４２０３は、下方に開放された天板４０内に収まっており、天板４０の厚み方向における一表面４０１とは反対側の面（下表面）と接触している。
【００４６】
突出片４２０４は、側板本体４２００の下端から内向き（光源ユニット１に近づく向き）に突出するように設けられている。突出片４２０４は、前後方向に延びる帯板状に形成されている。光源ユニット１のカバー１０のフランジ部１０２は、図４に示すように、突出片４２０４に対して上方から接触している。なお、本実施形態では、フランジ部１０２、パッキン１１及び底板４１が、この順番で突出片４２０４に載せ置かれている。ここで、側板本体４２００は、図１及び図４に示すように、各通気孔４２０５の下縁に、第２固定部の一部としてかしめ片７０を有している。このかしめ片７０は、底板４１の突起片４１４の上端に対して上方から覆うように、塑性変形されている。要するに、底板４１は、第２固定部（かしめ片７０及び突起片４１４）によって、各側板４２０とかしめ固定されている。そのため、底板４１と側板４２０とがねじ止めにより固定される場合に比べて、照明器具全体として部品点数を削減することができる。また、ねじを挿入するためのねじ孔の数も減らすことができ、例えば底板４１あるいは側板４２０の厚み寸法の増加を抑えることができるため、照明器具の小型化及び軽量化も図ることができる。なお、本実施形態では、側板４２０と光源ユニット１のカバー１０と底板４１とをより安定的に固定するために、かしめ固定に加えて、ねじ７５（図２及び図４参照）よる固定も採用されている。
【００４７】
第１傾斜片４２０１は、側板本体４２００の前端から内方に突出するように設けられている。第１傾斜片４２０１は、上下方向に沿って平坦な平坦部分と、当該平坦部分の上端から連続し、上方に行くほど支持片４２０３の前端に近づくように傾斜した傾斜部分とを有している。第１傾斜片４２０１は、図１及び図３に示すように、傾斜部分の上端に爪片７１を、第１固定部の一部として有している。この爪片７１は、天板４０の前隅に設けられた２つのかしめ用挿通孔４０４のうち対応する１つに挿入された状態で後方に折れ曲がるように塑性変形されている。要するに、天板４０は、側板４２０とかしめ固定されている。
【００４８】
第２傾斜片４２０２は、側板本体４２００の後端から内方に突出するように設けられている。第２傾斜片４２０２は、上下方向に沿って平坦な平坦部分と、当該平坦部分の上端から連続し、上方に行くほど支持片４２０３の後端に近づくように傾斜した傾斜部分とを有している。第２傾斜片４２０２は、図１及び図３に示すように、傾斜部分の上端に爪片７１を、第１固定部の一部として有している。この爪片７１は、天板４０の後隅に設けられた２つのかしめ用挿通孔４０４のうち対応する１つに挿入された状態で前方に折れ曲がるように塑性変形されている。
【００４９】
つまり、天板４０は、第１固定部（かしめ用挿通孔４０４及び爪片７１）によって、各側板４２０とかしめ固定されている。そのため、天板４０と側板４２０とがねじ止めにより固定される場合に比べて、照明器具全体として部品点数を削減することができる。また、ねじを挿入するためのねじ孔の数も減らすことができ、例えば天板４０あるいは側板４２０の厚み寸法の増加を抑えることができるため、照明器具の小型化及び軽量化も図ることができる。ただし、天板４０と側板４２０とをより安定的に固定するために、かしめによる固定に加えて、ねじによる固定も採用されていてもよい。
【００５０】
連結板４２１は、全体として左右方向に延びる細長い板状の部材である。連結板４２１は、例えば、亜鉛鋼板などの１枚の金属板に折り曲げ加工を施すことにより、左右方向に沿って見たときに略Ｌ字形状に形成されている。具体的には、連結板４２１は、図２に示すように、本体片４２１０と、突出片４２１１と、第２固定部の一部としてかしめ用突片４２１２（図１、図３及び図５参照）とから構成されている。
【００５１】
本体片４２１０は、前後方向から見て細長い矩形状に形成されている。また、本体片４２１０は、左右方向における両端の各々に爪片７３を、第３固定部の一部として有している。例えば、第１連結板４２１Ａの場合、その両端にある爪片７３が、第１側板４２０Ａ及び第２側板４２０Ｂの前端近傍（一端部）に設けられたかしめ用挿通孔７２にそれぞれ挿入された状態で、後方に折れ曲がるように塑性変形されている。同様に、第２連結板４２１Ｂの場合、その両端にある爪片７３が、第１側板４２０Ａ及び第２側板４２０Ｂの後端近傍（他端部）に設けられたかしめ用挿通孔７２にそれぞれ挿入された状態で、前方に折れ曲がるように塑性変形されている。
【００５２】
つまり、一対の側板４２０は、第３固定部（爪片７３及びかしめ用挿通孔７２）によって、一対の連結板４２１とかしめ固定されている。そのため、一対の側板４２０と一対の連結板４２１とがねじ止めにより固定される場合に比べて、照明器具全体として部品点数を削減することができる。また、ねじを挿入するためのねじ孔の数も減らすことができ、例えば側板４２０あるいは連結板４２１の厚み寸法の増加を抑えることができるため、照明器具の小型化及び軽量化も図ることができる。なお、左右方向における連結板４２１の両端の各々は、放熱部材３側の面が開放された側板４２０内に収まった状態で、爪片７３がかしめ用挿通孔７２に挿入されている。
【００５３】
突出片４２１１は、本体片４２１０の下端から内向きに突出するように設けられている。突出片４２１１は、左右方向に延びる帯板状に形成されている。光源ユニット１のカバー１０のフランジ部１０２は、図５に示すように、突出片４２１１に対して上方から接触している。なお、本実施形態では、フランジ部１０２、パッキン１１及び底板４１が、この順番で突出片４２１１に載せ置かれている。ここで、かしめ用突片４２１２は、底板４１の突起片４１４の上端に対して上方から接触して覆うように、塑性変形されている。要するに、底板４１は、第２固定部（かしめ用突片４２１２及び突起片４１４）によって、側板４２０とだけでなく、連結板４２１とも、かしめ固定されている。つまり、第２固定部（突起片４１４、かしめ片７０及びかしめ用突片４２１２）は、底板４１を、一対の側板４２０、第１連結板４２１Ａ及び第２連結板４２１Ｂにかしめ固定する。
【００５４】
（２．６）保持部材の開口
ところで、このように構成された本実施形態の保持部材４は、天板４０と底板４１との間において、放熱部材３と対向する箇所に開口５を有する。本実施形態では、図３に示すように、一例として２つ開口５（第１開口５Ａ及び第２開口５Ｂ）が設けられている。第１開口５Ａ、天板４０及び第２開口５Ｂは、天板４０の一表面４０１側から見たときに、第１開口５Ａと第２開口５Ｂとの間に天板４０を挟むように配置されている。
【００５５】
天板４０は、一表面４０１側から見たときに、底板４１の第１面４１１の少なくとも一部が開口５を通じて露出するように、平面視において底板４１よりも小さく構成されている。本実施形態では、２つの開口５が設けられているため、第１面４１１の上記一部は、図３に示すように、想像線（２点鎖線）で示された２つの領域４１５に相当する。
【００５６】
具体的には、第１開口５Ａの周縁は、天板４０の前端と、第１連結板４２１Ａの上端と、一対の側板４２０の第１傾斜片４２０１の互いに対向する側端と、によって形成されている。また、第２開口５Ｂの周縁は、天板４０の後端と、第２連結板４２１Ｂの上端と、一対の側板４２０の第２傾斜片４２０２の互いに対向する側端と、によって形成されている。
【００５７】
ここで、図３に示すように、天板４０の一表面４０１側から見たときに、天板４０の前端が、底板４１の前端に対して後方に離れるように、また、天板４０の後端が、底板４１の後端に対して前方に離れるように構成されている。つまり、天板４０は、前後方向におけるその寸法が、底板４１の寸法よりも小さくなるように構成されている。そのため、天板４０の一表面４０１側から見たときに、第１開口５Ａと第２開口５Ｂとを通じて、底板４１の第１面４１１の第１領域４１５Ａと第２領域４１５Ｂとが、それぞれ露出する（図３参照）。
【００５８】
このように、本実施形態の保持部材４は、第１開口５Ａ及び第２開口５Ｂを有しているため、第１開口５Ａ及び第２開口５Ｂを通じて、光源ユニット１から底板４１及び放熱部材３に伝わる熱を照明器具の外部へ逃がすことができる。ここで仮に、底板４１から天板４０までの高さ寸法が本実施形態の照明器具と同じである条件のもとで、天板４０の一表面４０１側から見たときに、天板４０の外周縁が底板４１の外周縁と略重なるような照明器具（比較例と呼ぶ）を想定する。この場合、本実施形態の照明器具の開口５の面積の方が、その比較例の開口面積よりも大きいことは容易に理解できる。したがって、本実施形態の照明器具によれば、小型化を図りつつ放熱性を高めることができる。
【００５９】
また、各放熱板３０の長手方向が、第１開口５Ａ及び第２開口５Ｂの並ぶ方向（前後方向）と一致している。つまり、各放熱板３０のベース部３０１と一対の側板３０２とで囲まれた空間が、第１開口５Ａ又は第２開口５Ｂと対向している。したがって、本実施形態の照明器具は、当該空間内の熱を有した空気が、第１開口５Ａ又は第２開口５Ｂから外部に流れ出やすい構成を有していると言える。したがって、さらに放熱性を高めることができる。さらに、本実施形態の保持部材４は、開口５に加えて、（各側板４２０に）通気孔４２０５も有しているため、さらに放熱性を高めることができる。
【００６０】
なお、放熱部材３は、天板４０の一表面４０１側から見たときに、第１開口５Ａ及び第２開口５Ｂを通じて露出しないように、底板４１の第１面４１１において、第１領域４１５Ａと第２領域４１５Ｂとの間の領域に設けられていることが好ましい（図３参照）。言い換えると、放熱部材３は、天板４０の一表面４０１側から見たときに、底板４１の第１面４１１において、天板４０と重なる領域に設けられていることが好ましい。この場合、照明器具の上方から第１開口５Ａ及び第２開口５Ｂを通じて保持部材４内に入り込む塵などの異物が、放熱部材３に付着することを抑制することができる。
【００６１】
（２．７）アーム
アーム６は、亜鉛鋼板などの長尺の金属板が長手方向における両端で同一方向に略直角に曲げられてＵ字状に形成されている（図１参照）。アーム６は、長手方向の両端部が、保持部材４の一対の側板４２０に設けられた一対のアーム支持部位に取り付けられていて、所定の範囲内で回転可能となっている。本実施形態の照明器具は、アーム６のボルト挿通孔に挿通される一対の吊りボルトにナットが締め付けられることで建物の天井に設置される。ただし、本実施形態の照明器具は、アーム６が吊りボルトから外れたとしても照明器具が落下しないように、ワイヤなどでさらに支持されていることが好ましい。
【００６２】
（３）変形例
以下に、いくつかの変形例について列記する。以下では上述した実施形態を「基本例」と呼ぶ。以下に説明する変形例は、基本例と適宜組み合わせて適用可能である。
【００６３】
基本例では、側板４２０の突出片４２０４は、底板４１と直接接触しているのではなく、突出片４２０４と底板４１との間にカバー１０のフランジ部１０２及びパッキン１１が介在した状態で、底板４１に載せ置かれていた。しかし、この限りではなく、突出片４２０４は、底板４１と直接接触して載せ置かれていてもよい。この場合、カバー１０のフランジ部１０２及びパッキン１１は、突出片４２０４の下面側からねじ止め固定されていてもよい。また、パッキン１１は、照明器具の必須の構成要素ではなく、照明器具の用途に応じて設けられていなくてもよい。
【００６４】
また、基本例では、開口５の数は２つであったが、１つであってもよい。すなわち、基本例では、天板４０の一表面４０１側から見たときに、天板４０の前端が底板４１の前端に対して後方に離れるように、また、天板４０の後端が底板４１の後端に対して前方に離れるように構成されていた。しかし、例えば、天板４０の前端が底板４１の前端と重なるように、そして、天板４０の後端のみが底板４１の後端に対して前方に離れるように構成されていてもよい。あるいは、その逆に、天板４０の前端のみが底板４１の前端に対して後方に離れるように構成されていてもよい。
【００６５】
また、基本例では、天板４０の一表面４０１側から見たときに、天板４０の左端が底板４１の左端と概ね重なるように、同様に、天板４０の右端が底板４１の右端と概ね重なるように構成されていた。しかし、天板４０の左端及び右端も、底板４１の左端及び右端に対して、それぞれ右方及び左方に離れるように構成されていてもよい。この場合、側板４２０の側板本体４２００は、前後方向から見たときに、上端へ行くほど天板４０に近づくように傾斜して形成されていてもよい。要するに、天板４０の一表面４０１側から見たときに、底板４１の第１面４１１の一部は、２つの開口５に加えて、各側板４２０に設けられている通気孔４２０５を通じて露出していてもよい。
【００６６】
基本例の第１固定部に関して、天板４０がかしめ用挿通孔４０４を有し、側板４２０がかしめ用挿通孔４０４に挿入される爪片７１を有していた。しかし、側板４２０がかしめ用挿通孔を有し、天板４０が当該かしめ用挿通孔に挿入される爪片を有していてもよい。また、基本例の第３固定部に関して、側板４２０がかしめ用挿通孔７２を有し、連結板４２１がかしめ用挿通孔７２に挿入される爪片７３を有していた。しかし、連結板４２１がかしめ用挿通孔を有し、側板４２０が当該かしめ用挿通孔に挿入される爪片を有していてもよい。
【００６７】
（４）利点
以上説明したように、第１の態様に係る照明器具は、光源ユニット１と、電源ユニット２と、放熱部材３と、保持部材４とを備える。電源ユニット２は、光源ユニット１に給電する。放熱部材３は、光源ユニット１の放熱を行う。保持部材４は、光源ユニット１を保持する。保持部材４は、天板４０と、底板４１と、天板４０及び底板４１を支持する支持部４２とを有する。放熱部材３は、底板４１の厚み方向における第１面４１１に取り付けられる。光源ユニット１は、底板４１の厚み方向における第１面４１１とは反対側の第２面４１２と対向するように保持される。電源ユニット２は、天板４０の厚み方向における一表面４０１に取り付けられる。支持部４２は、底板４１の第１面４１１を、天板４０の厚み方向における一表面４０１とは反対側の面に対向させて天板４０及び底板４１を支持する。保持部材４は、天板４０を支持部４２にかしめ固定する第１固定部と、底板４１を支持部４２にかしめ固定する第２固定部とを有する。
【００６８】
この構成によれば、例えば天板４０が支持部４２とねじ止めのみにより固定され底板４１が支持部４２とねじ止めのみにより固定されている場合に比べて、照明器具の部品点数を抑えることができる。また、保持部材４における、ねじを挿入するためのねじ孔の数も減らすことができ、例えば、保持部材４を構成する構成要素の厚み寸法の増加を抑えることができる。その結果、照明器具の小型化及び軽量化を図ることもできる。
【００６９】
第２の態様に係る照明器具に関して、第１の態様において、底板４１は、天板４０の一表面４０１とは反対側の上記面と対向する平板部４１３と、第２固定部の一部として突起片４１４とを有することが好ましい。突起片４１４は、平板部４１３の周縁から天板４０に向かって突出することが好ましい。この構成によれば、単純な構成でかしめ固定可能な底板４１を提供することができる。また、部品点数を抑え、底板４１と支持部４２の小型化及び軽量化を図ることもできる。
【００７０】
第３の態様に係る照明器具に関して、第１又は２の態様において、支持部４２は、互いに対向する一対の側板４２０を有することが好ましい。一対の側板４２０は、天板４０と底板４１とによって囲まれた空間を側方から囲うように天板４０及び底板４１を支持することが好ましい。第２固定部は、底板４１を一対の側板４２０にかしめ固定することが好ましい。この構成によれば、簡単な構成でかしめ固定可能な底板４１と支持部４２を提供することができる。また、部品点数を抑え、底板４１と支持部４２の小型化及び軽量化を図ることもできる。
【００７１】
第４の態様に係る照明器具に関して、第３の態様において、支持部４２は、一対の側板４２０を連結する第１連結板４２１Ａ及び第２連結板４２１Ｂを、更に有することが好ましい。保持部材４は、第１連結板４２１Ａを一対の側板４２０の各々の一端部（図１では前端近傍）に、第２連結板４２１Ｂを一対の側板４２０の各々の他端部（図１では後端近傍）に、それぞれかしめ固定する第３固定部を、更に有することが好ましい。この構成によれば、簡単な構成でかしめ固定可能な支持部４２を提供することができる。また、部品点数を抑え、支持部４２の小型化及び軽量化を図ることもできる。
【００７２】
第５の態様に係る照明器具に関して、第４の態様において、第２固定部は、底板４１を、一対の側板４２０、第１連結板４２１Ａ及び第２連結板４２１Ｂにかしめ固定することが好ましい。この構成によれば、簡単な構成でかしめ固定可能な底板４１と支持部４２を提供することができる。また、部品点数を抑え、底板４１と支持部４２の小型化及び軽量化を図ることもできる。
【００７３】
第６の態様に係る照明器具に関して、第３〜第５の態様のいずれかにおいて、一対の側板４２０の各々は、光源ユニット１に近づく向きに突出する突出片４２０４を有することが好ましい。底板４１は、突出片４２０４に載せ置かれていることが好ましい。この構成によれば、簡単な構成で底板４１を支持することが可能な支持部４２を提供することができる。
【符号の説明】
【００７４】
１  光源ユニット
２  電源ユニット
３  放熱部材
４  保持部材
４０  天板
４０１  一表面
４１  底板
４１１  第１面
４１２  第２面
４１３  平板部
４２  支持部
４２０  側板
４２０４  突出片
４２１Ａ  第１連結板
４２１Ｂ  第２連結板
７１  爪片（第１固定部）
４０４  かしめ用挿通孔（第１固定部）
４１４  突起片（第２固定部）
７０  かしめ片（第２固定部）
４２１２  かしめ用突片（第２固定部）
７２  かしめ用挿通孔（第３固定部）
７３  爪片（第３固定部）
【図１】
2018077956.tif 000003
【図２】
2018077956.tif 000004
【図３】
2018077956.tif 000005
【図４】
2018077956.tif 000006
【図５】
2018077956.tif 000007